(57)【特許請求の範囲】
【請求項１】
加熱手段と、吸気孔と、排気孔と、前記吸気孔から風路を介して前記排気孔に空気を送るファンとを含む加熱調理装置であって、
前記ファンを駆動する駆動手段をさらに含み、
前記ファンは、風を送る方向の異なる複数の設置態様の中のいずれかの設置態様で、設置され、
前記異なる複数の設置態様は、ファンが室内に向けて風を送る第１の設置態様と、ファンが室外に向けて風を送る第２の設置態様とを含み、
前記駆動手段は、
前記ファンを、所定の範囲内の回転数のいずれかの回転数で回転させるように、制御を行ない、
前記第１の設置態様に対する前記所定の範囲を、前記第２の設置態様に対する前記所定の範囲よりも回転数の少ない側に決定する、加熱調理装置。
【請求項２】
前記ファンについての設置態様は、変更可能であり、
前記ファンについての、変更後の設置態様についての情報を入力できる入力手段をさらに含み、
前記駆動手段は、前記入力手段に入力された、変更後の設置態様についての情報に基づいて、前記回転数についての所定の範囲を決定する、請求項１に記載の加熱調理装置。
【請求項３】
前記排気孔は、複数個設けられ、
前記ファンは、設置態様に応じて、前記複数の排気孔のいずれかに、空気を送り、
前記複数の排気孔の中の所定の排気孔を開閉可能なカバーと、
前記カバーの開閉を制御可能なカバー開閉手段とをさらに含み、
前記カバー開閉手段は、
前記カバーを閉状態に制御し、
前記ファンの設置態様が前記所定の排気孔に空気を送る設置態様となった場合にのみ、前記カバーを、前記ファンの動作に応じて開閉させる、請求項１〜請求項２のいずれか１項に記載の加熱調理装置。
【請求項４】
前記吸気孔に設置されたオイルフィルタおよびチャコールフィルタをさらに含む、請求項１〜請求項３のいずれか１項に記載の加熱調理装置。
【発明の詳細な説明】
【０００１】
【発明の属する技術分野】
本発明は、加熱調理装置に関し、詳しくは、吸気孔から風路を介して排気孔に空気を送るファンを含む加熱調理装置に関する。
【０００２】
【従来の技術および発明が解決しようとする課題】
従来の加熱調理装置には、加熱手段であるマグネトロンや高圧トランスを冷却するために、ファンが設けられていた。また、加熱調理装置の中でも、壁面やキッチンキャビネットに取付けられる高所設置型電子レンジでは、上記の目的のほかに、単に、該加熱調理装置を換気扇として使用するためにも、ファンが設けられている。
【０００３】
そして、従来の加熱調理装置の中には、ファンの排気方向を、複数の方向から選択することができるタイプのものがあった。たとえば、キッチンキャビネットに取付けられるタイプのものであれば、ユーザは、ファンの排気方向を、室内または室外のいずれかに選択することができた。
【０００４】
しかしながら、このような加熱調理装置において、ファンの排気方向が室内とされた場合、排気の際に発生する音が大きいため、ユーザが不快感を抱くという問題があった。
【０００５】
本発明は、かかる実情に鑑み考え出されたものであり、その目的は、ユーザに不快感を与えない加熱調理装置を提供することである。
【０００６】
【課題を解決するための手段】
請求項１に記載の本発明にかかる加熱調理装置は、加熱手段と、吸気孔と、排気孔と、前記吸気孔から風路を介して前記排気孔に空気を送るファンとを含む加熱調理装置であって、前記ファンを駆動する駆動手段をさらに含み、前記ファンは、風を送る方向の異なる複数の設置態様の中のいずれかの設置態様で、設置され、前記駆動手段は、前記ファンを、所定の範囲内の回転数のいずれかの回転数で回転させるように、制御を行ない、前記回転数についての所定の範囲を、前記ファンの設置態様ごとに決定することを特徴とする。
【０００７】
請求項１に記載の本発明によれば、ファンの回転数についての範囲が、ファンの設置態様に応じて決定される。
【０００８】
これにより、ファンの排気方向が、排気の際に発生する音に対してユーザが不快感を抱くような方向である場合にのみ、ファンの回転数を低下させることができる。
【０００９】
また、請求項１に記載の発明にかかる加熱調理装置の構成に加えて、前記異なる複数の設置態様は、ファンが室内に向けて風を送る第１の設置態様と、ファンが室外に向けて風を送る第２の設置態様とを含み、前記駆動手段は、前記第１の設置態様に対する前記所定の範囲を、前記第２の設置態様に対する前記所定の範囲よりも回転数の少ない側に決定することを特徴とする。
【００１０】
前述の作用に加えて、ファンが室内に向けて排気を行なう場合には、室外に向けて排気を行なう場合よりも、ファンの回転数が低くなり、排気に際しての騒音も低下すると考えられる。
【００１１】
請求項２に記載の本発明にかかる加熱調理装置は、請求項１に記載の発明にかかる加熱調理装置の構成に加えて、前記ファンについての設置態様は、変更可能であり、前記ファンについての、変更後の設置態様についての情報を入力できる入力手段をさらに含み、前記駆動手段は、前記入力手段に入力された、変更後の設置態様についての情報に基づいて、前記回転数についての所定の範囲を決定することを特徴とする。
【００１２】
請求項２に記載の本発明によれば、請求項１に記載の発明による作用に加えて、ユーザは、ファンの設置態様を変更でき、かつ、ファンは、変更後の設置態様に応じて適切な回転数で回転する。
【００１３】
請求項３に記載の本発明にかかる加熱調理装置は、請求項１〜請求項２のいずれか１項に記載の発明にかかる加熱調理装置の構成に加えて、前記排気孔は、複数個設けられ、前記ファンは、設置態様に応じて、前記複数の排気孔のいずれかに、空気を送り、前記複数の排気孔の中の所定の排気孔を開閉可能なカバーと、前記カバーの開閉を制御可能なカバー開閉手段とをさらに含み、前記カバー開閉手段は、前記カバーを閉状態に制御し、前記ファンの設置態様が前記所定の排気孔に空気を送る設置態様となった場合にのみ、前記カバーを、前記ファンの動作に応じて開閉させることを特徴とする。
【００１４】
請求項３に記載の本発明によれば、請求項１〜請求項２のいずれか１項に記載の発明による作用に加えて、所定の排気孔は、開状態にされる必要がない場合には、カバーによって閉じられる。これにより、加熱調理装置内に埃等が入り込む事態を、より確実に回避できる。
【００１５】
請求項４に記載の本発明にかかる加熱調理装置は、請求項１〜請求項３のいずれか１項に記載の発明にかかる加熱調理装置の構成に加えて、前記吸気孔に設置されたオイルフィルタおよびチャコールフィルタをさらに含むことを特徴とする。
【００１６】
請求項４に記載の本発明によれば、請求項１〜請求項３のいずれか１項に記載の発明による作用に加えて、複数のフィルタが、互いに近傍に設けられるため、当該複数のフィルタについての交換等のメンテナンスが同時に行なえる。
【００１７】
【発明の実施の形態】
以下に、本発明の実施の形態を図面に基づいて詳細に説明する。なお、以下の実施の形態においては、加熱調理装置の一例としてキッチンキャビネット等の高所に取付けるタイプの電子レンジを示すが、本発明はこれに限らず、所定の場所に備え付けるタイプではない移動可能な電子レンジなどであってもよく、ファンを備え、装置の内部に空気を取込み外部に空気を排出するよう構成された加熱調理装置であれば、すべてに適用することが可能である。
【００１８】
図１は、本発明の一実施の形態の電子レンジを示す図である。図１（ａ）に、電子レンジの外観を示す。電子レンジ１は、本体４の正面に、前板５と、ドア３を備えている。前板５およびドア３の上方には、吸気孔および排気孔（後述する吸気孔２１および排気孔２，２２、図１（ａ）では省略）が設けられ、そして、当該吸気孔および排気孔を覆うようにカバー７が備えられている。また、前板５には、ユーザが、電子レンジ１の操作内容を入力するためのコントロールパネル５１が設けられている。なお、図示は省略しているが、コントロールパネル５１には、調理時間等を表示できる表示部が設けられている。電子レンジ１は、図１（ｂ）に示すように、たとえば、キッチンキャビネット８２内の、ガスレンジ８３の真上に取付けられる。
【００１９】
図２は、図１に示した電子レンジ１の構成をより詳細に説明するための図である。図２（ａ）は、電子レンジ１を下方から見た場合の斜視図である。図２（ａ）を参照して、電子レンジ１の底部には、キッチンランプ４２，４３が備えられている。そして、ユーザは、ガスレンジ８３を用いて調理する際に、キッチンランプ４２，４３を点灯させることができる。なお、キッチンランプ４２，４３の下方には、それぞれ耐熱ガラス４２ａ，４３ａが備えられている。
【００２０】
また、電子レンジ１の底部には、底孔６７が形成されている。電子レンジ１は、内蔵するファンにより、底孔６７を介して、煙等を電子レンジ１の内部に吸気し、適切な方向に排気することができる。なお、底孔６７には、後述するようにフィルタが嵌め込まれており、電子レンジ１内部には、該フィルタを介して、煙等が吸気される。
【００２１】
図２（ｂ）は、電子レンジ１の内部構成を説明するための図であり、電子レンジ１において、前板５，ドア３およびカバー７が取外された状態を示す図である。図２（ｂ）を参照して、ドア３の奥には、食品等の被加熱物を収納する加熱室３０が設けられている。そして、加熱室３０の上方には、加熱室３０内を照らすための加熱室ランプ４１が備えられている。
【００２２】
図３は、電子レンジ１の電気的構成を模式的に示す図である。図３を参照して、５５は、図３に示す回路全体に電力を供給する交流電源である。また、３３はマグネトロンであり、６６はマグネトロン３３に高電圧を供給するための高圧トランスである。
【００２３】
５７はドアスイッチである。ドアスイッチ５７は、ドア３が開かれると図３に示す回路を開き、ドア３が閉じられると、当該回路を閉じるように構成されている。したがって、電子レンジ１では、ドア３が開かれていると、ドアスイッチ５７が回路を開き、交流電源５５から高圧トランス６６への電力供給が妨げられるため、マグネトロン３３が電波を発しないように構成されている。
【００２４】
一方、図中５８，５９は、それぞれ加熱調理のためにマグネトロン３３への通電を規制する出力調整用リレー，メインリレーである。メインリレー５９は、加熱調理が行なわれている間中オンされているが、出力調整用リレー５８は、マグネトロン３３の出力を調整するために、加熱調理の最中にもオン／オフを繰返している。出力調整用リレー５８およびメインリレー５９のオン／オフは、制御回路６５により制御されている。
【００２５】
制御回路６５には、図示せぬマイクロコンピュータとメモリが含まれる。そして、制御回路６５は、マイクロコンピュータによって、ユーザがコントロールパネル５１に入力した調理メニューに応じ、メインリレー５９および出力調整用リレー５８のオン／オフを制御する。また、制御回路６５は、必要に応じて、加熱時間等の調理情報を、メモリに記憶する。なお、図中６４は、制御回路６５に一定電圧の電力を供給する定電圧回路である。
【００２６】
６０はモニタスイッチであり、ドアスイッチ５７とは逆に、ドア３が開かれると図３に示す回路を閉じ、ドア３が閉じられると当該回路を開くように構成されている。モニタスイッチ６０は、ドア３が開かれてもドアスイッチ５７が何らかの原因で回路を開かない場合に、短絡回路を形成してヒューズ５６を切り、マグネトロン３３への通電を回避するために設けられている。これにより、ドア３が開いた状態でマグネトロン３３が高周波の電波を発するという危険な状況を確実に回避できる。
【００２７】
図中１７は、前述のマグネトロン３３の冷却用のファン（後述するファン３４）を駆動するブロアモータである。また、図中４１は、加熱室７内を照らす加熱室ランプである。そして、図中１８，４７は、それぞれ、ブロアモータ１７，加熱室ランプ４１への通電を制御するリレースイッチである。リレースイッチ１８，４７は、それぞれ、制御回路６５により、オン／オフを制御される。
【００２８】
また、キッチンランプ４２，４３は、定電圧回路６４に接続されている。そして、図中４９は、キッチンランプ４２，４３への通電を制御するリレースイッチである。また、カバー７の開閉を行なうためのカバーモータ４５、および、電子レンジ１を主に換気扇として使用する際に使用されるフードファン（後述するフードファン８）を駆動するためのファンモータ４４も、定電圧回路６４に接続されている。そして、ファンモータ４４，カバーモータ４５への通電の制御は、それぞれ、リレースイッチ４６，４８により行なわれる。そして、リレースイッチ４６，４８，４９は、それぞれ、制御回路６５により、オン／オフを制御される。ファンモータ４４は、コネクタ５０ａを備えている。また、電子レンジ１側には、コネクタ５０ｂが備えられている。そして、コネクタ５０ａとコネクタ５０ｂが接続されることにより、ファンモータ４４は電子レンジ１本体に電気的に接続されることになる。
【００２９】
フードファン（後述するフードファン８）は、複数の送風方向で取付けることができる。ユーザは、該フードファンの送風方向を変更するために、フードファンを取外し、再度、電子レンジ１本体に取付けることができる。該複数の送風方向の中には、カバー７によって開閉される排気孔（排気孔２）を介して、電子レンジ１外へ空気を送り出すものが含まれる。ユーザは、コントロールパネル５１に、フードファンの送風方向を入力できる。これにより、後述するように、フードファンの送風方向が、排気孔（排気孔２）を介して、電子レンジ１外へ空気を送り出すものとされると、フードファンの動作に応じて、カバー７が開閉される。
【００３０】
制御回路６５には、コントロールパネル５１およびサーミスタ６３が接続されている。サーミスタ６３は、後述するように、電子レンジ１の排気孔（排気孔２）付近に設けられる。制御回路６５は、サーミスタ６３の検知温度が異常な高温となった場合、カバー７が閉状態にあれば、カバー７を強制的に、開状態にする。また、制御回路６５には、ファンスイッチ６１が接続されている。ファンスイッチ６１の動作については、図８等を用いて後述する。
【００３１】
図４は、図１のＩＶ−ＩＶ線に沿う矢視断面図である。また、図５は、図１の電子レンジ１の斜視図であり、電子レンジ１の内部構造を詳細に説明するために、本体４の外郭部分を省略した図である。
【００３２】
図４および図５を参照して、電子レンジ１は、本体４内に、中枠１１と、中枠１１の外側にある通気路１２を備えている。なお、中枠１１は、加熱室３０と、加熱制御等のための電子部品（マグネトロン３３等）を収納する機械室３１と、加熱室３０から排出される空気が送り込まれる排気室３２とを囲うように構成されている。通気路１２の壁面であって本体４の下面の底板６には、底孔６７が設けられている。また、中枠１１の上には、２つのフードファン８が設けられている。また、前板５の上部には、カバー７に覆われた、吸気孔２１および排気孔２，２２が形成されている。そして、図中１０は、フードファン８から送られる空気を排気孔２のみに導く本体ガイドである。なお、底孔６７付近にはフィルタが備えられているが、図４では省略している。
【００３３】
フードファン８は、吹出口８ａから、空気を吹出す。そして、電子レンジ１において、フードファン８が作動すると、カバー７が図１に示す閉状態から図５に示す開状態となり、そして、図４および図５に白抜きの矢印で示すように、底孔６７から通気路１２内に空気が取込まれ、その空気は、フードファン８を介して、排気孔２から電子レンジ１外に排出される。なお、排気孔２の前面にカバー７が備えられることにより、排気孔２から、斜め上方に向かって、空気を排出させることができる。つまり、カバー７は、排気孔２（および排気孔２２）から排出される空気の流れる方向を制御することができる。このように、電子レンジ１において、底孔６７から空気を取込み、排気孔２から排出できることにより、ガスレンジ８３において調理が行なわれた際に、電子レンジ１を換気扇として使用することができる。
【００３４】
なお、カバー７には、仕切板７１と把手７２が設けられている。仕切板７１は、排気孔２から排出される空気が直接吸気孔２１から電子レンジ１内に取込まれることを回避するために設けられており、把手７２は、カバー７の開閉を手動で切替えるために設けられている。カバー７の開閉は、基本的には、カバーモータ４５により切替えられる。ただし、把手７２が設けられることにより、特に、フードファン８やファン３４を運転させずに、吸気孔２１および排気孔２，２２付近の掃除等を行なう場合や、カバー７を自動的に開閉する部材が故障した場合、手動で、カバー７を開閉できる。
【００３５】
一方、図５中、５２は、吸気孔２１から取込まれた空気が送り込まれる吸気室であり、機械室３１と接続されている。そして、電子レンジ１では、フードファン８とは別のファン（後述するファン３４）を備えており、図４および図５に示す空気の流れとは別の態様で空気を流すことができる。以下に、電子レンジ１における当該別の態様での空気の流れについて、図６を参照しつつ、説明する。
【００３６】
図６は、図５と同様の、電子レンジ１の本体４の外郭部分を省略した斜視図である。なお、図６においては、上述の態様とは別の態様での空気の流れを、白抜きの矢印で示している。また、図６においては、機械室３１の内部構造を説明するために、中枠１１が一部破断されて記載されている。
【００３７】
電子レンジ１は、機械室３１内に、加熱室３０内の被加熱物を加熱するためのマグネトロン３３と、マグネトロン３３等の部品を冷却するためのファン３４を備えている。そして、電子レンジ１において、ファン３４が作動すると、カバー７が図１に示す閉状態から図５（または図６）に示す開状態となり、そして、図６に白抜きの矢印で示すように、吸気孔２１から、吸気室５２、機械室３１を介して加熱室３０内に空気が取込まれ、その空気は、排気室３２を通り、排気孔２２から電子レンジ１外に排出される。
【００３８】
以上説明したように、電子レンジ１では、フードファン８とファン３４とにより、異なった態様で、空気が流れる。電子レンジ１では、後述するようにフードファン８またはファン３４のいずれかが作動する際には、制御回路６５により、カバー７は開状態とされる。また、フードファン８およびファン３４の動作が停止すると、カバー７は閉状態とされる。なお、電子レンジ１では、マグネトロン３３による加熱調理が行なわれる際には、自動的に、ファン３４が作動する。また、コントロールパネル５１において所定のキー操作を行なうことにより、フードファン８を作動させることができる。つまり、電子レンジ１において、フードファン８とファン３４とは、独立して作動するものである。
【００３９】
図５および図６において、フードファン８の吹出口８ａは前方（ドア３のある方向）を向いている。なお、後述するように、電子レンジ１では、フードファン８の吹出口８ａの対向する方向は、前，後ろ，上方のいずれかに設定することができる。これ以降、吹出口８ａの対向方向が、前，後ろ，上方にある場合のそれぞれのフードファン８の設置態様を、前方設置，後方設置，上方設置という。
【００４０】
図７は、フードファン８の電子レンジ１本体への取付けを説明するための図である。なお、図７は、電子レンジ１を左後方部から見た場合の斜視図に相当する。また、図７では、フードファン８は上方設置されている。
【００４１】
図７を参照して、フードファン８は、電子レンジ１の本体の後方から矢印Ｐ方向に装着される。なお、装着される際には、フードファン８に付属するコネクタ５０ａと、電子レンジ１の本体側のコネクタ５０ｂとが接続される。電子レンジ１において、フードファン８の上方には、フードファン８を固定するための押え板２６が取付けられる。押え板２６は、電子レンジ１本体およびフードファン８にネジ止めされる。押え板２６には、上方排気孔２７が形成されている。上方排気孔２７は、フードファン８の吹出口８ａに対応した位置に設けられている。これにより、フードファン８が上方設置された場合でも、押え板２６は、吹出口８ａから吹出される空気の流れを遮らない。
【００４２】
次に、フードファン８の設置態様が、前方設置，上方設置，後方設置とされた場合のそれぞれの状態を、図８〜図１０を用いて説明する。なお、図８〜図１０は、電子レンジ１の右側面から見たフードファン８の設置態様を模式的に示す図であり、フードファン８の設置態様が、それぞれ、前方設置，上方設置，後方設置である状態を示す図である。
【００４３】
まず、図８を参照して、前方設置の場合、吹出口８ａから吹出した空気は、図中の白抜き矢印の方向に従い、排気孔２から、電子レンジ１外に排出される。フードファン８の下方には、ファンスイッチ６１が配置されている。ファンスイッチ６１は、その上部に、スイッチボタン６２（図１１参照）を備えているが、図８に示す状態では、フードファン８は、スイッチボタン６２を押圧して、ファンスイッチ６１の本体内部に押込めている。ファンスイッチ６１は、スイッチボタン６２が押圧されているか否かにより、図３に示した回路の開閉状態を変化させる。したがって、制御回路６５は、ファンスイッチ６１による回路の開閉状態を検知することにより、フードファン８が図８に示すような位置に取付けられているか否かを検知することができる。
【００４４】
また、図８では、電子レンジ１が、その底部に、オイルフィルタ３５とチャコールフィルタ３６を備える旨が記載されている。オイルフィルタ３５は、ガスレンジ８３による調理で発生した油分が、電子レンジ１内に入り込まないようにするためのフィルタである。チャコールフィルタ３６は、ガスレンジ８３による調理で発生した煤が電子レンジ１内に入り込まないようにする等のために設けられたフィルタである。これらのフィルタは、底板６に取付けられている部材により支持されているが、支持態様の詳細については後述する。
【００４５】
また、図８では、電子レンジ１が、排気孔２の近傍に、サーミスタ６３を備える旨が記載されている。制御回路６５は、前述のようにサーミスタ６３の検知温度が異常な高温となった場合に、カバー７を強制的に開状態にする。なお、サーミスタ６３の設置場所は、排気孔２の近傍に限定されるものではない。
【００４６】
図９および図１０を参照して、電子レンジ１がフードファン８の上方設置および後方設置の状態にあっても、ファンスイッチ６１のスイッチボタン６２はフードファン８により押圧されている。
【００４７】
電子レンジ１は、ユーザに、コントロールパネル５１に対して、フードファン８の設置態様を入力させるように構成されている。そして、設置態様が後方設置または上方設置である入力された場合には、基本的には、フードファン８が作動しても、ファン３４が作動しなければ、カバー７は開状態とされない。
【００４８】
また、後述するように、電子レンジ１は、フードファン８の設置態様が前方設置であると入力された場合には、後方設置または上方設置であると入力された場合よりも、フードファン８の回転数（単位時間当りの回転数を意味する）が低く設定される。
【００４９】
なお、ここで、参考として、図１１に、電子レンジ１においてフードファン８が取付けられていない状態を示す。図１１を参照して、フードファン８が取付けられていない場合には、スイッチボタン６２は、フードファン８に押圧されることなく、ファンスイッチ６１から突出ている。
【００５０】
次に、カバー７の開閉機構について、図１２〜図１４を参照しつつ、説明する。まず、図１２を参照して、カバー７は、接続部７ａを備え、接続部７ａを介して、電子レンジ１本体と接続されている。カバー７の仕切板７１には、その後部に、溝７１ａが形成されている。
【００５１】
仕切板７１の主面の後部側と対向する位置に、カバーモータ４５が設けられている。カバーモータ４５は、アーム４５ｂを備えている。カバーモータ４５が作動すると、アーム４５ｂは、その一端にある回転中心４５ａを支点として回動する。アーム４５ｂの他端には、突起部４５ｃが設けられている。突起部４５ｃは、溝７１ａに嵌込まれている。これにより、アーム４５ｂが回転することにより、仕切板７１がカムとして作用して、カバー７が開閉する。
【００５２】
仕切板７１の上方には、板バネ８５が備えられている。板バネ８５の下端は、仕切板７１の最後部近傍の上端を押圧している。これにより、カバー７が全体として「てこ」として作用する（支点：接続部７ａ，力点：板バネ８５との接点，作用点：排気孔２の外枠との接点）ため、カバー７の最前部が、確実に、排気孔２を閉じることになる。つまり、カバー７は、閉状態（図１２に示す状態）にある場合に、その状態で確実に固定される。したがって、カバー７の閉状態に、カバー７と電子レンジ１本体との間に隙間を生じることがない。
【００５３】
図１２に示す状態では、カバー７は閉状態にある。以下に、この状態から、カバー７が開状態にされる機構について、説明する。
【００５４】
図１２に示す状態で、カバーモータ４５が作動すると、アーム４５ｂは、回転中心４５ａを支点として、図の反時計方向に回転する。これにより、板バネ８５と仕切板７１との接点は、徐々に後方にずれていく。
【００５５】
仕切板７１の後端は、弧状となっている。なお、仕切板７１の後端の曲率半径は、部分によって異なる。具体的には、図１２に示すように、後端の曲率半径は、上から、Ｒａ，Ｒｂ，Ｒｃとすることができる。Ｒａは、後端の上端部の曲率半径であり、Ｒｂは、後端の中間部の曲率半径であり、Ｒｃは、後端の下端部の曲率半径である。Ｒｂを弧とした場合、当該弧が形成する円の中心は、接続部７ａである。また、Ｒａ＜Ｒｂである。すなわち、Ｒａとして示した部分の方が、Ｒｂとして示した部分よりもカーブが急である。
【００５６】
カバーモータ４５が作動し、アーム４５ｂが所定角度だけ回転すると、図１３に示すように、板バネ８５と仕切板７１との接点は、Ｒａで示した範囲の最後端まで移動する。
【００５７】
図１３に示した状態からさらにカバーモータ４５が作動すると、図１４に示すように、仕切板７１が、板バネ８５と接触しないようになる。これは、Ｒａ＜Ｒｂだからであると考えられる。
【００５８】
すなわち、図１２〜図１４を用いて説明したカバー７の開閉機構では、カバー７は、所定の点（接続部７ａ）を支点として開閉動作を行なう。仕切板７１は、その後端に、Ｒａで示される第１の部分と、Ｒｂで示される第２の部分とを備えている。ここでいう第２の部分は、第１の部分と連続して、第１の部分よりも下方に設けられている。第１の部分，第２の部分は、それぞれ、第１の曲率と第２の曲率を有し、第２の曲率は、第１の曲率よりも小さい。すなわち、Ｒａとして示した部分の方が、Ｒｂとして示した部分よりもカーブが急である。第２の部分が一部を構成する円の中心は、前記支点である。カバーが閉状態にある場合には、図１２に示す状態では、板バネ８５は、カバー７の仕切板７１を、上方から係止めしている。ここで、曲率半径Ｒｂは、板バネ８５と接続部７ａとの最短距離（この場合、板バネ８５の下端と接続部７ａとの距離）よりも短い。なお、仕切板７１の外周であってＲａで示した領域と、接続部７ａとの距離は、板バネ８５と接続部７ａとの最短距離と等しい。
【００５９】
次に、オイルフィルタ３５，チャコールフィルタ３６の取付けについて説明する。図１５は、オイルフィルタ３５，チャコールフィルタ３６を固定する部材の形状を説明するための図であり、電子レンジ１の底部を、内側から見た図に相当する。
【００６０】
電子レンジ１において、底孔６７の端部には、向かい合うように、２対の二段ガイド６９と、１対の上部ガイド６８が設けられている。上部ガイド６８および二段ガイド６９は、底板６と一体的に設けられている。より詳細には、底板６において、底孔６７として切取る部分を、一部切取らずに残し、該残した部分を折曲げることにより、上部ガイド６８および二段ガイド６９を構成している。これにより、底板６を構成した材料とは別の材料を準備すること無く、上部ガイド６８および二段ガイド６９を構成することができる。
【００６１】
図１６（ａ），図１６（ｂ）に、二段ガイド６９，上部ガイド６８によるオイルフィルタ３５およびチャコールフィルタ３６の支持態様を示す。
【００６２】
図１５および図１６を参照して、二段ガイド６９は、下方から順に、底板６と接続し底板６に対して垂直な第１の面と、該第１の面に接続し底板６に対して平行な第２の面と、該第２の面に接続し底板６に対して垂直な第３の面とを備えている。つまり、二段ガイド６９は、底板６に対して垂直な面を２つ備えている。そして、向かい合う二段ガイド６９のそれぞれに備えられた、底板６に対して垂直な上下の２つの面で、両側から挟み込むように、２枚のフィルタがそれぞれ支持される。
【００６３】
上部ガイド６８は、２枚のフィルタのうち上にあるフィルタ（本実施の形態ではチャコールフィルタ３６）を上方から押えるためのガイドである。
【００６４】
次に、２枚のフィルタの、二段ガイド６９，上部ガイド６８への取付態様について、図１７および図１８を参照しつつ説明する。
【００６５】
２枚のフィルタを取付ける際、まず、チャコールフィルタ３６から、取付けを行なう。そこで、最初に、チャコールフィルタ３６の取付けについて説明する。まず、図１７（ａ）を参照して、チャコールフィルタ３６の後端（図１７（ａ）では右端）を、底孔６７から電子レンジ１の内部に挿入する。そして、チャコールフィルタ３６の前端（図１７（ａ）では左端）を、矢印Ｘ方向に、すなわち上方に移動させて、底孔６７から電子レンジ１の内部に挿入する。
【００６６】
その後、チャコールフィルタ３６を二段ガイド６９に嵌込むことにより、図１７（ｂ）に示すように、チャコールフィルタ３６の取付けが完了する。
【００６７】
次に、オイルフィルタ３５の取付けについて説明する。図１８（ａ）を参照して、オイルフィルタ３５の後端（図１８（ａ）では右端）を、底孔６７から電子レンジ１の内部に挿入する。次に、オイルフィルタ３５の前端を上方に移動させて、オイルフィルタ３５全体を、電子レンジ１内部に挿入する（図１８（ｂ）参照）。なお、このとき、オイルフィルタ３５は二段ガイド６９に嵌込まれているが、最終的な取付位置よりは幾分か後方（図１８（ｂ）では右方）にずれて、位置している。そして、この状態から、矢印Ｙ方向にオイルフィルタ３５を移動させることにより、図１８（ｃ）に示すように、オイルフィルタ３５の取付けが完了する。
【００６８】
次に、電子レンジ１における、制御回路６５の制御態様について説明する。
電子レンジ１では、コントロールパネル５１において、フードファン８の回転数を２段階で調整できる。この２段階の回転数において、多い方を「Ｈｉｇｈ」、少ない方を「Ｌｏｗ」と呼ぶ。また、コントロールパネル５１上には、それぞれに対応するキーが設けられている。以下、それぞれを、Ｈｉｇｈキー，Ｌｏｗキーと呼ぶ。
【００６９】
一方、電子レンジ１では、制御回路６５は、ファンモータ４４に供給する電流値を３段階で調整できる。この３段階の電流値において、高い方から「高電流」，「中電流」，「低電流」と呼ぶ。ファンモータ４４に供給される電流値が変化すると、それに応じて、フードファン８の回転数、すなわち、フードファン８の回転スピードも変化する。ファンモータ４４に供給される電流値が「高電流」，「中電流」，「低電流」であるときのそれぞれのフードファン８の回転スピードをそれぞれ「高速」，「中速」，「低速」と呼ぶ。
【００７０】
そして、電子レンジ１では、上記のＨｉｇｈキー，Ｌｏｗキーと、フードファン８の回転スピードは、それぞれ、表１に示すように、対応している。
【００７１】
【表１】
0003548050.tif 000002
【００７２】
表１において、各キーと各回転スピードの対応する態様は、フードファン８の設置態様によって異なっている。具体的には、前方設置であれば、Ｈｉｇｈキーは中速に対応し、Ｌｏｗキーは低速に対応している。一方、後方設置または上方設置であれば、Ｈｉｇｈキーは高速に対応し、Ｌｏｗキーは中速に対応している。つまり、電子レンジ１では、フードファン８を、所定の範囲内の回転数のいずれかの回転数で回転させることになる。所定の範囲とは、前方設置であれば、低速から中速に対応する回転数であり、後方設置または上方設置であれば、中速から高速に対応する回転数である。すなわち、所定の範囲とは、フードファンの設置態様に応じて、設定される。
【００７３】
電子レンジ１に交流電源５５から電力が投入されると、制御回路６５は、回転スピード設定処理を実行する。制御回路６５は、回転スピード設定処理において、ユーザに、フードファン８の設置態様を入力させる。そして、制御回路６５は、フードファン８の設置態様に応じて、Ｈｉｇｈキー，Ｌｏｗキーとフードファン８の回転スピードとの対応関係を、表１に示したように、設定する。以下に、回転スピード設定処理について、図１９を参照しつつ、詳細に説明する。
【００７４】
電子レンジ１に交流電源５５から電力が投入されると、制御回路６５は、まず、Ｓ１で、コントロールパネル５１の表示部に、ユーザに対してフードファン８の設置態様の入力を要請するメッセージを表示して、Ｓ２に進む。ここでの表示態様としては、たとえば、前方設置，後方設置，上方設置のそれぞれを、加熱時間等を入力するために備えられたテンキーの「１」，「２」，「３」の各キーに対応させ、これらの３つのキーのいずれかをユーザに押圧させるようなものが考えられる。
【００７５】
Ｓ２では、制御回路６５は、Ｓ１でユーザが入力した設置態様が前方設置であるか否かを判断する。前方設置であると判断すると、Ｓ４に進み、そうではないと判断すると、すなわち、後方設置か上方設置であると判断すると、Ｓ３に進む。なお、Ｓ２では、前方設置であるか否かが判断されるため、Ｓ１における表示は、ユーザに、前方設置であるか否かを入力させるものであってもよい。
【００７６】
Ｓ３では、制御回路６５は、Ｈｉｇｈキーを高速に、Ｌｏｗキーを中速に、それぞれ対応させるように設定し、かつ、フードファン８が作動しても、カバー７を閉じたままにするよう設定し、処理を終了する。この場合、カバー７は、ファン３４の動作に対応して、開閉を制御される。
【００７７】
一方、Ｓ４では、制御回路６５は、Ｈｉｇｈキーを中速に、Ｌｏｗキーを低速に、それぞれ対応させるように設定し、かつ、フードファン８の動作に対応してカバー７の開閉を制御するよう設定し、処理を終了する。この場合、カバー７は、フードファン８およびファン３４の動作に対応して、開閉を制御される。
【００７８】
電子レンジ１において、ユーザは、ＨｉｇｈキーまたはＬｏｗキーを押圧することにより、フードファン８の動作態様を所望の態様に設定できる。このように設定されると、各設置態様において、フードファン８を強く作動させたい場合にはＨｉｇｈキーを押圧すればよく、フードファン８の動作が中程度でよい場合にはＬｏｗキーを押圧すればよい。
【００７９】
以上説明した回転スピード設定処理では、前方設置の場合は、他の設置態様よりも、各キーに対応するフードファン８の回転スピードが遅く設定される。すなわち、前方設置の場合は、他の設置態様よりも、フードファン８の回転数の範囲が少ない側にシフトしていることになる。なお、電子レンジ１の場合、前方設置の場合、フードファン８の排気方向は、電子レンジ１が設置されている室内に向けられることとなる。一方、他の設置態様、すなわち、後方設置および上方設置の場合、フードファン８の排気方向は、電子レンジ１が設置されている部屋の外に向けられることとなる。
【００８０】
したがって、回転スピード設定処理では、フードファン８の排気方向が、電子レンジ１が設置された室内に向いている場合には、室外に向いている場合よりも、フードファン８の回転数は少なくなる。なお、一般的に、フードファン８の排気方向が室内に向いている場合には、フードファン８の動作に伴って騒音が生じ易い。これは、排気孔２には、排気方向を、上方に向けるために、ルーバが備えられており、フードファン８によって送られる空気が、当該ルーバに遮られるためである。
【００８１】
そして、電子レンジ１は、回転スピード設定処理を実行することにより、ユーザにとって騒音が気になるような場合には、その他の場合よりもフードファン８の回転数を低下させ、該騒音を低下させるように構成されている。
【００８２】
なお、従来の高所設置型電子レンジでは、チャコールフィルタは、フードファン８に相当するファンの前方に、すなわち、電子レンジ１でいえば、フードファン８と排気孔２の間に、設置されていた。一方、電子レンジ１では、チャコールフィルタ３６は、オイルフィルタ３５とともに、底孔６７近傍に、支持され、設置されている。これにより、電子レンジ１において、両フィルタの取付け、取外し等のメンテナンス時の作業が容易になるとともに、前方設置されたフードファン８が排気を行なう際の騒音が低下している。
【００８３】
ここで、前方設置されたフードファン８の騒音の低下について、具体的に説明する。表２は、各設置態様における風量（通気量）および排気音の大きさを示している。なお、表２において、風量とは、フードファン８が作動した際の排気孔での通気量を意味し、ＣＦＭ（Ｃｕｂｉｃ  Ｆｅｅｔ  ｐｅｒ  Ｍｉｎｕｔｅｓ［Ｆｔ３  ／ｍｉｎ］）の単位で記載されている。この場合の排気孔とは、吹出口８ａが対向する部分であり、たとえば、前方設置であれば、排気孔２であり、上方設置であれば、上方排気孔２７である。
【００８４】
また、表２において、「底孔付近」とは、本実施の形態のようにチャコールフィルタ３６がオイルフィルタ３５とともに、底孔６７近傍に設置されていることを意味している。一方、「排気孔付近」とは、従来の電子レンジのように、チャコールフィルタがフードファン８と排気孔２との間に設置されていることを意味する。
【００８５】
【表２】
0003548050.tif 000003
【００８６】
表２を参照して、前方設置の場合には、他の設置態様と比較して、風量が低いにも関わらず、排気音は大きくなっている。これは、上述したように、ルーバが存在するからである。そして、チャコールフィルタ３６の設置位置が、本実施の形態のように底孔６７近傍とされることにより、同程度の排気音が発生しても、風量が、従来の電子レンジよりも６０ＣＦＭ、すなわち、３５％程度増加している。
【００８７】
一方、ユーザは、電子レンジ１において、フードファン８の排気方向が室内に向いている場合に、騒音が大きくても構わないから、フードファン８の排気する力を大きくしたい場合がある。このようなユーザのニーズに対応できるように、電子レンジ１は、前方設置されている場合であっても、コントロールパネル５１に対して所定の操作を行なうことにより、表３に示すように、Ｈｉｇｈキー，Ｌｏｗキーに対応するフードファン８の回転数を、後方設置や上方設置の場合と同様のものとすることができるように構成されている。
【００８８】
【表３】
0003548050.tif 000004
【００８９】
以上説明した本実施の形態では、フードファン８を駆動するファンモータ４４、および、ファンモータ４４に供給する電流値を制御することによりフードファン８の回転数を制御する制御回路６５により、ファンを駆動する駆動手段が構成されている。また、フードファン８が図８〜図１０を用いて説明した各態様で取付けられることから、ファンが、風を送る方向の異なる複数の設置態様の中のいずれかの設置態様で設置される旨が開示されていることになる。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の一実施の形態の電子レンジを示す図である。
【図２】図１に示した電子レンジの構成をより詳細に説明するための図である。
【図３】図１に示した電子レンジの電気的構成を模式的に示す図である。
【図４】図１のＩＶ−ＩＶ線に沿う矢視断面図である。
【図５】図１の電子レンジの斜視図である。
【図６】図１の電子レンジの斜視図である。
【図７】図１に示す電子レンジにおける、フードファンの電子レンジ本体への取付けを説明するための図である。
【図８】図１に示す電子レンジにおいて、フードファンが前方設置された状態を示す図である。
【図９】図１に示す電子レンジにおいて、フードファンが上方設置された状態を示す図である。
【図１０】図１に示す電子レンジにおいて、フードファンが後方設置された状態を示す図である。
【図１１】図１に示す電子レンジにおいて、フードファンが取付けられていない状態を示す図である。
【図１２】図１に示す電子レンジでの、カバーの開閉機構を説明するための図である。
【図１３】図１に示す電子レンジでの、カバーの開閉機構を説明するための図である。
【図１４】図１に示す電子レンジでの、カバーの開閉機構を説明するための図である。
【図１５】図１に示す電子レンジのフィルタを固定する部材の形状を説明するための図である。
【図１６】図１に示す電子レンジでの、二段ガイド，上部ガイドによるオイルフィルタおよびチャコールフィルタの支持態様を示す図である。
【図１７】図１に示す電子レンジにおける、チャコールフィルタの取付態様を説明するための図である。
【図１８】図１に示す電子レンジにおける、オイルフィルタの取付態様を説明するための図である。
【図１９】図１に示す電子レンジの、制御回路が実行する回転スピード設定処理のフローチャートである。
【符号の説明】
１  電子レンジ
２  排気孔
７  カバー
８  フードファン
３０  加熱室
３５  オイルフィルタ
３６  チャコールフィルタ
４４  ファンモータ
４５  カバーモータ
５０ａ，５０ｂ  コネクタ
５５  交流電源
６５  制御回路
６７  底孔
【図１】
0003548050.tif 000005
【図２】
0003548050.tif 000006
【図３】
0003548050.tif 000007
【図４】
0003548050.tif 000008
【図５】
0003548050.tif 000009
【図６】
0003548050.tif 000010
【図７】
0003548050.tif 000011
【図８】
0003548050.tif 000012
【図９】
0003548050.tif 000013
【図１０】
0003548050.tif 000014
【図１１】
0003548050.tif 000015
【図１２】
0003548050.tif 000016
【図１３】
0003548050.tif 000017
【図１４】
0003548050.tif 000018
【図１５】
0003548050.tif 000019
【図１６】
0003548050.tif 000020
【図１７】
0003548050.tif 000021
【図１８】
0003548050.tif 000022
【図１９】
0003548050.tif 000023